(57)【要約】　　　（修正有）【課題】証明写真の印刷物において、１つの画像を複数形状の証明写真として利用する際の切り取り位置の判別を容易にして、ユーザの操作性を向上することを目的とする。【解決手段】入力画像から証明写真データを作成して出力装置に供給する証明写真システムであって、印刷の際に画像データと共にメジャーを付加して印刷することを特徴とする。【選択図】　　　　図２
2004064476.tif 000002
【特許請求の範囲】
【請求項１】
入力画像データから証明写真用データを作成して出力装置に供給する証明写真システムであって、印刷の際に画像データとともにメジャーを印刷することを特徴とする証明写真システム。
【請求項２】
印刷されるメジャーの原点は、被写体画像の幅中央および高さ中央と一致することを特徴とする請求項１に記載の証明写真システム。
【請求項３】
入力画像データから証明写真用データを作成して出力装置に供給する証明写真システムであって、印刷の際に画像データとともに複数のトンボ線を印刷することを特徴とする証明写真システム。
【発明の詳細な説明】
【０００１】
【発明の属する技術分野】
本発明は証明写真の印刷物に対する操作性の向上に関する。
【０００２】
【従来の技術】
証明写真の形状は国あるいは用途によって多種多様であり、そのすべてに適合する印刷物を提供するシステムを構築することは困難である。そのため多くの証明写真システムは、汎用的な形状での印刷を行い、その印刷物をユーザが必要に応じて裁断して使用することを期待している。
【０００３】
【発明が解決しようとする課題】
運転免許証用の写真を街角で見かける証明写真ボックスで撮影したとする。印刷物の中で被写体画像が閉める部分は運転免許証のサイズよりも大きいので、被写体画像の範囲内で運転免許証に必要なサイズに切り抜くという裁断作業が発生する。このときメジャーを印刷物に当ててサイズを確認するという作業は非常にわずらわしかった。
【０００４】
本発明においては上記の問題点を解決し、ユーザがメジャーを用意する必要もなく簡単に必要なサイズに証明写真を裁断することができるように印刷物に対する操作性を向上することを目的とする。
【０００５】
【課題を解決するための手段】
上記目的を達成するために本発明の請求項１においては、入力画像データから証明写真用データを作成して出力装置に供給する証明写真システムであって、印刷の際に画像データとともにメジャーを印刷することを特徴とする証明写真システムを実現したものである。
【０００６】
請求項２においては、印刷されるメジャーの原点を被写体画像の幅中央および高さ中央と一致することを特徴とする請求項１に記載の証明写真システムを実現したものである。
【０００７】
上記目的を達成するために本発明の請求項３においては、入力画像データから証明写真用データを作成して出力装置に供給する証明写真システムであって、印刷の際に画像データとともに複数のトンボ線を印刷することを特徴とする証明写真システムを実現したものである。
【０００８】
【発明の実施の形態】
以下、本発明について図面を参照して詳細に説明する。
【０００９】
図１は、本発明の一実施例の画像処理方式が適用される証明写真システムの構成を示すブロック図である。この証明写真システムは、中央処理装置１と、記憶装置２と、キーボード３と、マウス４と、表示装置５と、画像入力装置６と、画像出力装置７とから、その主用部が構成されている。
【００１０】
図２は、本発明の請求項１の一実施例に係る画像処理方式を示すフローチャートである。以下に同図を参照して、本発明の処理シーケンスを説明する。
【００１１】
ユーザが画像入力装置６から被写体画像を入力する（Ｓ１０１）と、中央処理装置１は印刷に用いる証明写真の形状とその印刷枚数の情報を記憶装置２から読み出し（Ｓ１０２）、その形状と印刷枚数の情報に基づいて入力画像データを加工する（Ｓ１０３）。続いて中央処理装置１はＳ１０３で作成したデータにメジャーを付加して印刷用のデータを完成する（Ｓ１０４）。最後に中央処理装置１は（Ｓ１０４）で作成した証明写真用データを画像出力装置７に供給して印刷を完了する（Ｓ１０５）。
【００１２】
図３は、上記Ｓ１０５で作成された印刷物の実例である。ここに示すメジャーのデザインは一例に過ぎず、本請求はそのいかなるデザインにも特化されるものではない。
【００１３】
図４は、上記Ｓ１０４で付加するメジャーの表示原点を画像データの幅中央ないし高さ中央に揃えた物で、請求項２における印刷物の実例に他ならない。
【００１４】
図５は、上記Ｓ１０４で付加するメジャーのかわりにトンボ線を表示した物で請求項３における印刷物の実例に他ならない。図５では１つの画像に国際免許証用とビザ用の写真サイズに応じた２種類のトンボ線を表示している。１枚の写真に対する用途が２−３個に限定される場合、このように用途に応じたトンボ線を印刷物内に表示すると、ユーザはメジャー表示を確認する手間もなく簡単に裁断を行うことができる。
【００１５】
請求項１，請求項２，請求項３のいずれにおいても、メジャーまたはトンボ線を印刷用データに付加するための具体的な方法には特化されない。
【００１６】
印刷に用いる証明写真の形状とその印刷枚数は、事前に記憶装置に記憶している情報を流用するだけでなく、それらを設定するためのＧＵＩなどを用意してユーザ設定が可能なようにすることもできる。また、入力画像を表示装置５で確認したり、入力画像に対してあらゆる画像補正をかけるなどのオプショナル操作を加えることもできる。このように本発明が請求する内容はいかなる証明写真システム・証明写真装置であっても実装可能であって、そのいかなるものにも特化されるものではない。
【００１７】
【発明の効果】
以上説明したように本発明は次の効果を有する。
【００１８】
請求項１によれば、入力画像データから証明写真用データを作成して出力装置に供給する証明写真システムであって、印刷の際に画像データとともにメジャーを印刷することを特徴とする証明写真システムを実現したことによって、ユーザがメジャーを用意する必要もなく印刷されているメジャーを使って簡単に証明写真を必要なサイズに裁断することができるようになり操作性が向上するという効果がある。
【００１９】
請求項２によれば、印刷されるメジャーの原点を被写体画像の幅中央および高さ中央と一致することを特徴とする請求項１に記載の証明写真システムを実現したことによって、請求項１のメジャーをより実用的に改善することができるという効果がある。
【００２０】
請求項３によれば、入力画像データから証明写真用データを作成して出力装置に供給する証明写真システムであって、印刷の際に画像データとともに複数のトンボ線を印刷することを特徴とする証明写真システムを実現したことによって、ユーザがメジャーを用意する必要もなく印刷されているトンボを使って簡単に証明写真を必要なサイズに裁断することができるようになり操作性が向上するという効果がある。
【図面の簡単な説明】
【図１】本発明の一実施例である証明写真システムの構成を示すブロック図
【図２】請求項１の一実施例である証明写真システムを示すフローチャート
【図３】請求項１による証明写真システムを用いた印刷物の実例
【図４】請求項２による証明写真システムを用いた印刷物の実例
【図５】請求項３による証明写真システムを用いた印刷物の実例
【符号の説明】
１．　中央処理装置
２．　記憶装置
３．　キーボード
４．　マウス
５．　表示装置
６．　画像入力装置
７．　画像出力装置
【図１】
2004064476.tif 000003
【図２】
2004064476.tif 000004
【図３】
2004064476.tif 000005
【図４】
2004064476.tif 000006
【図５】
2004064476.tif 000007